(57)【要約】【課題】防水床材の上に嵩上げ材を配置して成る防水床構造において、防水床材の表面に死水を生成させない。【解決手段】防水床構造Ｋは、防水床材１０と嵩上げ材２０とタイル等仕上げ材３０とから成る。防水床材１０は支持突起１１、浴槽設置部１２、排水口１３が設けられる。防水床材１０自体が排水口１３へ向かう排水勾配を持つから、嵩上げ材２０を通過したり周囲から浸入した水が防水床材１０の表面を流れて排水口１３から容易に排出され死水を停留させることがない。防水床材１０と嵩上げ材２０との間に排水用空間をＳを設けたので排水効率がよい。排水口１３へ導く排水管８を排水用空間Ｓを利用して簡単に設置できる。防水床材１０上に載置するだけで嵩上げ材２０にも排水勾配を付与できるから、嵩上げ材２０には一定厚みの標準品を使用でき、コスト増大を抑えられる。【選択図】      図１
2005213969.tif 000002
【特許請求の範囲】
【請求項１】
防水床材の上に嵩上げ材を設置して成る床構造であって、前記防水床材は、排水口が形成されていると共に、その表面に当該排水口へ向かう排水勾配が付与されていることを特徴とする防水床構造。
【請求項２】
前記防水床材と嵩上げ材との間に、排水用空間を形成した請求項１に記載する防水床構造。
【請求項３】
前記防水床材の表面に支持突起を形成することにより前記排水用空間を形成した請求項２に記載する防水床構造。
【請求項４】
前記嵩上げ材の下面に突出部を形成することにより前記排水用空間を形成した請求項２に記載する防水床構造。
【請求項５】
前記防水床材と嵩上げ材との間に形成した排水用空間に排水管を配置した請求項２乃至４の何れかに記載する防水床構造。
【請求項６】
浴室の床構造において、前記防水床材が浴槽設置用と洗い場構築用との両方に利用し得る領域を有するものであって、当該領域に形成される支持突起の高さを、浴槽設置部の高さより大きく設定した請求項３に記載する防水床構造。
【発明の詳細な説明】
【技術分野】
【０００１】
本発明は、浴室やシャワー室など、湯水を使用する部屋の床構造に関する。
【背景技術】
【０００２】
特許文献１に、防水性の底板の上に、発泡プラスチック板を載せ、その上面を樹脂板やタイル板から成る保護層で覆った構造の、浴室用床構造が記載されている。かかる床構造は、低比重の発泡プラスチック板を使用するから、軽量化が可能であり、運搬や施工時の取り扱いが容易になるという利点を有している。
【特許文献１】特開平１１−３４３６５０号公報
【発明の開示】
【発明が解決しようとする課題】
【０００３】
特許文献１では、発泡プラスチック板の表面に傾斜を設けることによって排水勾配を付与する構成になっており、底板における発泡プラスチック板が載置される面は平坦且つ水平となるよう形成されていると考えられる。このため、発泡プラスチック板を通過したりあるいはその周囲から浸入して底板上に達した水は、底板表面に停留し容易には排出されない。その結果、浴室床の下方に水が停留して死水となり、これが腐敗したりカビ等の繁殖を助長するなど、衛生上の問題を引き起こすおそれがあった。
【課題を解決するための手段】
【０００４】
本発明が前記従来の問題を解決するために採用した防水床構造の特徴とするところは、
防水床材の上に嵩上げ材を設置して成り、前記防水床材に、排水口を形成すると共に、その表面に当該排水口へ向かう排水勾配を付与したことである。
【０００５】
前記床構造において、防水床材と嵩上げ材とは、隙間無く接触させてもよいが、両者の間に排水用空間を形成することも可能である。この場合、前記排水用空間を形成する手段として、防水床材の表面に支持突起を形成する構造、又は、前記嵩上げ材の下面に突出部を形成する構造が考えられる。
【０００６】
また前記防水床材と嵩上げ材との間に排水用空間を形成した場合、ここに排水管を配置することが可能である。
【０００７】
なお本発明を浴室の床構造に適用する場合において、前記防水床材が、浴槽設置用と洗い場構築用との両方に利用し得る領域を有するものであるときは、当該領域に形成される支持突起の高さを、浴槽設置部の高さより大きく設定することが望ましい。なお、施工時において、防水床材に全体的には排水勾配が付与されるのに対し、原則として浴槽設置部は水平に設定される。
【発明の効果】
【０００８】
本発明に係る床構造は、最も底部となる防水床材の表面に排水口へ向かう排水勾配を付与したので、上部に載置した嵩上げ材を通過するか又はその周囲から浸入した水は、防水床材の表面を流れて排水口から排出される。それ故、防水床材上に死水が停留するおそれがなくなるから、床面下部の衛生状態を良好に保つのが容易である。
【０００９】
また本発明によれば、床面構築の際、排水勾配を有する防水床材の表面に嵩上げ材を載置することによって、嵩上げ材の表面に排水勾配を与えることができる。従って、嵩上げ材に排水用の傾斜面をわざわざ設ける必要がなくなるから、通常の一定厚みの部材を使用することが可能であり、コストの増大を抑えることができる。
【００１０】
前記防水床材と嵩上げ材との間に排水用空間を形成した場合は、防水床材に達した水を排水口まで導いて排出するのが効率的になる。
【００１１】
前記排水用空間に排水管を配置した場合は、防水床材外の他の場所で生じた排水を、防水床材の排水口を通じて排出することが可能である。
【００１２】
なお本発明を浴室の床構造に適用するに際し、防水床材が浴槽設置用と洗い場構築用との両方に利用し得る領域を有する場合、浴槽設置面は原則として水平に調節され、他方、洗い場は排水勾配が付与された緩斜面に形成しなくてはならない。従って、洗い場を構築する嵩上げ材を、浴槽設置面上に配置したり接触させたりすることは、所定の排水勾配を得る上で好ましくない。そこで本発明では、支持突起の高さを浴槽設置部の高さ位置より大きく設定することにより、当該領域に嵩上げ材を載置して洗い場を構築するときに、浴槽設置部が嵩上げ材に干渉するのを回避できる。
【発明を実施するための最良の形態】
【００１３】
図１に本発明に係る防水床構造Ｋを浴室Ｙに適用した実施形態を示す。同床構造Ｋは、浴室Ｙの基礎１上に配置した防水床材１０と、この防水床材１０上に載置される嵩上げ材２０と、この嵩上げ材２０の表面に接着剤３１等により張り付けられたタイル等の仕上げ材３０とから構成されている。
【００１４】
本例の防水床材１０は、ＦＲＰ、プラスチック、金属等で製作され、主体となる平坦部１０ａの周囲に立ち上がり部１０ｂを一体形成したものである。図２に示す如く、平坦部１０ａの適所には、嵩上げ材２０の下面を支える支持突起１１、浴槽が据え置かれる浴槽設置部１２、及び、排水口１３が設けられる。そして、排水口１３へ向かう排水勾配を有するように、平坦部１０ａは傾斜面となされている。ところで本例の防水床材１０は、全体が中心線Ｐを挟んでほぼ対称に形成され、二つの対称領域のうち、いずれか任意の一方を浴槽設置用、もう一方を洗い場構築用に使用できるようになされている。このため、支持突起１１，浴槽設置部１２，排水口１３も、上記二つの対称領域の双方に設けられている。そして、支持突起１１の高さ寸法は、浴槽設置部１２よりも上方に突出するように設定されている。
【００１５】
防水床材１０の下面には補強材１４と高さ調節具４０とが設けられる。高さ調節具４０は、例えば図３に示すように、防水床材１０の適所に埋設したナット４２へ螺合させたボルト４１で、防水床材１０の荷重を支持するものである。ボルト４１の螺合度合を変更することで、防水床材１０の基礎１からの距離を増減させ、高さ調節を行える。また本例では、ボルト４１の頭部を突出させる部分にボス部４３を設け、このボス部４３に、支持突起１１となる筒状部材を昇降可能に螺合させる構成を採用した。従って、本例の支持突起１１は、嵩上げ材２０の下面を支持する機能と同時に、高さ調節具４０のボルト４１頭部を隠すキャップ部材としての機能も併せ持っている。なお支持突起１１は、高さ調節の必要性があまりないならば、防水床材１０の表面に一体形成することも可能である。
【００１６】
嵩上げ材２０には、本実施形態では、比較的曲げ強度の大きい補強板２１と、比重が比較的小さく断熱性に優れた発泡板２２とを接合したものが用いられる。補強板２１としては、セメントやモルタル等からなる芯材の表面層に、ガラス繊維ネットや合成樹脂メッシュシートを埋設して強化した板状材が挙げられる。他方、発泡板２２は、ポリスチレン等から成る発泡プラスチック層の表面に、ガラス繊維ネットで補強したポリマーセメント層を形成してなるものが挙げられる。なお、この嵩上げ材２０は、図１のように、防水床材１０との間に排水用空間Ｓを設ける場合、透水性であっても非透水性であってもよい。しかし、嵩上げ材２０を防水床材１０の表面に隙間無く接触させて載置する場合は、なるべく非透水性・非吸水性であることが望ましい。また、断熱性や軽量性を特に考慮する必要のない場合、嵩上げ材２０は非発泡性の材質であってもよい。
【００１７】
嵩上げ材２０の表面に設けられる仕上げ材３０としては、タイルのほか、樹脂シートやセラミック板等が考えられる。仕上げ材３０は、美観性、摩擦、強度その他の表面特性を向上させる目的で配置されるが、施工状況によっては省略することも可能である。
【００１８】
本発明に係る防水床構造Ｋは次のようにして施工される。まず、浴室Ｙの基礎１に防水床材１０を設置する。このとき高さ調節具４０を操作して、防水床材１０の平坦部１０ａに、排水口１３へ向かう所定の排水勾配が付与されると同時に、浴槽設置部１２にあってはその表面が実質的に水平となるよう調節する。次いで、嵩上げ材２０を、支持突起１１を介し、防水床材１０の上に載置し固定する。支持突起１１は昇降可能なので、嵩上げ材２０が所定の姿勢に安定するように微調整することができる。また支持突起１１が浴槽設置部１２より上方に位置するので、嵩上げ材２０と浴槽設置部１２とが干渉するおそれがない。支持突起１１により、防水床材１０の上面と嵩上げ材２０の下面との間に排水用空間Ｓが形成される。最後に、上記嵩上げ材２０の表面に、接着剤等を用いて、タイル等の仕上げ材３０を張り付ける。
【００１９】
こうして構築された防水床構造Ｋは、防水床材１０自体が排水口１３へ向かう排水勾配を持つから、嵩上げ材２０を通過したり周囲から浸入した水が、防水床材１０の表面を流れて排水口１３から容易に排出される。すなわち、防水床材１０上に死水を停留させることがないから、衛生性に優れる。しかも本実施形態は、防水床材１０と嵩上げ材２０との間に排水用空間をＳを設けたので、防水床材１０上の水の排出効率がよい。また図２に示すように、ドア４の取付位置における脱衣室Ｘ側の床部に、ドア排水用の凹溝７等を設けた場合、この凹溝７に溜まった水を、防水床材１０の排水口１３へ導く排水管８を、上記排水用空間Ｓを利用して、簡単に設置することが可能である。
【００２０】
なお本発明では、防水床材１０に排水勾配を付与したから、その上に載置するだけで、嵩上げ材２０にも排水勾配を付与できる。従って、嵩上げ材２０には一定厚みの標準品を使用でき、厚みを変化させた特殊製品は不要であるから、コストの増大を抑えられる。
【００２１】
ところで本例では、前記防水床構造Ｋを施工するにあたり、防水床材１０を所定位置に据え置いた後、その立ち上がり部１０ｂと、躯体壁２やドア４との隙間を、防水材５で覆うように構成した。そして、この防水材５が、躯体壁２の表面に取着される壁材３の裏面側、及び、ドア４の取付枠部材４ａの下側となるように設定した。これにより、壁材３の裏側やドア４の下側に浸入したり結露によって生成した水を、防水材５を伝って防水床材１０上へ確実に導くことができるから、基礎１や躯体壁２が濡れたり湿気たりするのを防止できる。
【００２２】
防水床材１０と嵩上げ材２０との間に排水用空間Ｓを形成する構造として、図４に示すように、嵩上げ材２０の下面側適所に突出部２３を設けることが考えられる。あるいは、図示は省略するが、防水床材１０とも嵩上げ材２０とも全く別体に製作した適数個のスペーサを防水床材１０上に配置することにより、両者間に排水用空間Ｓを形成することも可能である。
【００２３】
なお本例は、防水床材１０を二つの対称な領域で構成して、いずれの領域も浴槽設置用と洗い場構築用とに使用できるように設定したが、あらかじめ一方の領域を浴槽設置用、他方を洗い場構築用に設定しておくことも可能である。この場合、浴槽設置用領域では支持突起が不要であり、洗い場構築用領域では浴槽設置部が不要である。さらに本例は、洗い場側にのみ嵩上げ材２０を配置することを想定しているが、浴槽側に嵩上げ材２０を配置することを妨げるものではない。
【００２４】
本発明の防水床構造Ｋは、表面の仕上げ材３０と防水床材１０との間に嵩上げ材２０を有しているため、仕上げ材３０から防水床材１０の排水口１３までの距離が長い。そこで図５に示すように、排水口１３を臨む位置において、嵩上げ材２０及び仕上げ材３０を省略し、ここに仕上げ材３０の表面から防水床材１０まで達する長さを備える排水路形成部材５０を取り付けて、排水口１３までの排水路を確保するように構成した。当該排水路形成部材５０は、上端部に多数の開孔を有する目皿５２が配置され、内部の中間高さ位置にヘアーキャッチャー５１を装着したものである。また、可鍛付近の側壁部に、排水用空間Ｓと連通させる排水通孔Ｔを形成した。なお排水口１３には、起立導水管６ａと、その上部を流通間隙を空けて覆うキャップ部材６ｂとからなる排水トラップ装置６を取り付け、封水が形成されるようにすることが望ましい。
【００２５】
さらに本実施形態の如く一つの防水床材１０に浴槽用と洗い場用の二つの排水口１３，１３が設けられている場合、各排水口１３，１３それぞれに水封形成用の排水トラップ装置を取り付けてもよいが、図６に示すような親子トラップ構造を採用することも可能である。これは、一方（図示の例では浴槽側）の排水口１３に導出管６１を備える排水受け皿６０を装着し、もう一方（図示の例では洗い場側）の排水口１３には排水トラップ装置６を取り付ける。そして、上記導出管６１と排水トラップ装置６に設けた導入管６３とを、ベローズ状の連通管６２で接続する。かかる構成により、各種作業の行いにくい浴槽下面側の排水口１３では、排水トラップ装置６を省略できるから、メンテナンスの負担を軽減することができる。また、排水トラップ装置６の使用個数を節約できるから、コストダウンを図れる。
【産業上の利用可能性】
【００２６】
本発明に係る防水床構造は、浴室のほか、シャワー室などにも適用できる。
【図面の簡単な説明】
【００２７】
【図１】本発明に係る防水床構造を浴室に適用した一実施形態を示す側面断面図である。
【図２】本発明に係る防水床構造に使用する防水床材の一例を示す平面図である。
【図３】本発明に係る防水床構造に使用する支持突起及び高さ調節具の一例を示す側面断面図である。
【図４】本発明に係る防水床構造の異なる例を示す側面断面図である。
【図５】本発明に係る防水床構造に使用する排水路形成部材の一例を示す側面断面図である。
【図６】本発明に係る防水床構造に使用する排水路形成部材の異なる例を示す側面断面図である。
【符号の説明】
【００２８】
１…基礎  ２…躯体壁  ５…防水材  １０…防水床材  １１…支持突起  １２…浴槽設置部  １３…排水口  ２０…嵩上げ材  ２１…補強板  ２２…発泡板  ３０…仕上げ材（タイル）  ４０…高さ調節具  Ｓ…排水用空間  Ｙ…浴室
【図１】
2005213969.tif 000003
【図２】
2005213969.tif 000004
【図３】
2005213969.tif 000005
【図４】
2005213969.tif 000006
【図５】
2005213969.tif 000007
【図６】
2005213969.tif 000008